(57)【要約】【課題】簡易なユーザ操作により手間を掛けずに所望のアプリケーションを起動することができるようにすること。【解決手段】複数のアプリケーションの中から選択及び起動するアプリケーションの種別を、当該アプリケーションに関連付けたアプリケーション毎で異なる照明部１３５の発光態様、つまり照明部１３５の発光色で提示する。この無線端末装置１００は、その照明部１３５の発光色により選択及び起動するアプリケーションの種別を容易に識別することができ、表示部１３３の表示内容をその都度見てアプリケーションの種別を確認する必要がないので、操作部１３６のショートカットキー１３６１によるアプリケーションの起動操作のみの簡易なユーザ操作により、手間を掛けずに所望のアプリケーションを起動することができる。【選択図】図１
2009027383.tif 000002
【特許請求の範囲】
【請求項１】
複数のアプリケーションを格納する格納部と、
前記複数のアプリケーションの中から起動するアプリケーションを選択するアプリケーション選択手段と、
前記複数のアプリケーションのそれぞれに対応した互いに異なる発光態様で発光する発光部と、
選択及び起動させた前記アプリケーションに応じて、前記発光部を制御する制御手段と、
を具備する無線端末装置。
【請求項２】
複数のリモコンアプリケーションを備え、かつ表示部が折り畳み式または回転式の携帯電話機であって、
前記表示部の折り畳み時の傾斜角度または前記表示部の回転角度を検出する検出手段と、
前記複数のリモコンアプリケーションのうち、前記検出手段の検出結果に応じたリモコンアプリケーションを選択する選択手段と、
を具備する携帯電話機。
【請求項３】
前記アプリケーション選択手段は、起動するアプリケーションをスクロール操作により選択するスクロールスイッチを備え、
前記提示部は、前記スクロールスイッチで選択したアプリケーションに応じて発光態様が変化する照明部と、
前記照明部を当該アプリケーションの種別に対応する発光態様で発光させる照明制御部と、
を備える
請求項１に記載の無線端末装置。
【請求項４】
前記照明部は、前記各アプリケーションのそれぞれに対応した発光色で発光する光源を備え、
前記照明制御部は、前記スクロールスイッチで選択したアプリケーションに対応した発光色で前記光源を発光させる
請求項３に記載の無線端末装置。
【請求項５】
前記照明部は、前記各アプリケーションのそれぞれに対応した発光パターンで発光する光源を備え、
前記照明制御部は、前記スクロールスイッチで選択したアプリケーションに応じた発光パターンで前記光源を発光させる
請求項３に記載の無線端末装置。
【請求項６】
前記照明部は、前記各アプリケーションのそれぞれに対応した発光箇所で発光する光源を備え、
前記照明制御部は、前記スクロールスイッチで選択したアプリケーションに対応した発光箇所で前記光源を発光させる
請求項３に記載の無線端末装置。
【発明の詳細な説明】
【技術分野】
【０００１】
本発明は、複数のアプリケーションを搭載した無線端末装置及び携帯電話機に関する。
【背景技術】
【０００２】
無線端末装置、特に携帯電話機等は、ユビキタスネットワーク社会を実現するにあたり、家電機器やＡＶ機器のリモートコントロール機能（以下、単に「リモコン機能」という）を集約した家電コントローラや再生機器として、家電機器とＡＶ機器との連携の中心的な役割を果たす可能性を有している。また、携帯電話機においては、例えば、購入した楽曲をＰＣで再生したり、ＤＶＤレコーダに蓄積した映像をＰＣへ移動させたりするための情報マネージャーとしての役割を持たせることも検討されている。
【０００３】
図１３乃至図１８に、携帯電話機１０に搭載されているＴＶリモコン機能によりＴＶを起動する場合の従来の端末の操作手順を示す。この場合には、図１３に示すように、携帯電話機１０の表示部１１に起動画面１１−１を表示し、この起動画面１１−１に表示された選択項目の中から「アプリケーション」を選択して、図１４に示すアプリケーション選択画面１１−２を表示部１１に表示する。次いで、アプリケーション選択画面１１−２に表示された表示項目の中から「ＴＶ」を選択し、図１５に示すＴＶに関する機能を選択するためのＴＶ機能画面１１−３を表示部１１に表示する。そして、ＴＶ機能画面１１−３に表示された表示項目の中から「リモコン」を選択し、図１６に示すＴＶをリモコン操作するためのＴＶリモコン画面１１−４を表示部１１に表示する。ユーザは、この表示部１１に表示されたＴＶリモコン画面１１−４を操作してＴＶを起動する。なお、ここでは、携帯電話機１０のＴＶリモコン機能によりＴＶを起動する場合の端末の操作手順について説明したが、他の家電機器やＡＶ機器などを起動する場合の端末の操作手順も上述の場合と同様である。
【０００４】
図１７に、ＴＶ専用リモコン２０を使用してＴＶを起動する場合のユーザ操作の様子を示す。この場合には、ユーザは例えば机上にあるＴＶ専用リモコン２０をＴＶ（不図示）に向けてリモコン操作してＴＶを起動する。
【０００５】
このように、ＴＶ専用リモコン２０を使用した場合には、比較的簡易なリモコン操作でＴＶを起動することができる。これに対し、上述のように携帯電話機１０のＴＶリモコン機能を使用した場合には、例えば図１８に示すように、ユーザはＴＶの起動に先立って、机上にある携帯電話機１０を一度手前に運び、その表示部１１の表示画面（液晶画面）を見て、表示内容を確認する必要があり、ＴＶ専用リモコン２０を使用してＴＶを起動する場合よりも時間や手間がかかる。
【０００６】
このため、家電機器やＡＶ機器などの専用リモコンとリモコン機能を有する携帯電話機１０とが机上に並んで置かれていた場合には、通常、手間のかからない専用リモコンを使用する可能性が高く、携帯電話機１０のリモコン機能が有効に活用されないおそれがある。
【０００７】
従って、この種の無線端末装置を、家電との連携の中心的な役割を果たす専用リモコンの代替機としての家電コントローラとして用いるためには、そのユーザ操作を簡易化して専用リモコンに匹敵するような利便性を持たせる必要がある。
【０００８】
ところで、この種の無線端末装置におけるＴＶリモコンなどのアプリケーションの起動操作を簡素化する方法として、その操作部に、各アプリケーション専用のショートカットキーを配置する方式が考えられる。しかしながら、この方式では、アプリケーションの起動操作は簡素化されるが、操作部のキー（ボタン）数が増加するため、装置本体が大型化してしまうという新たな問題が生じる。
【０００９】
一方、無線端末装置の操作部のキー（ボタン）数を増加させずに各アプリケーション専用のショートカットキーを配置する方法として、既存のボタンに各アプリケーションのショートカットキーを割り当て、既存のボタンの長押しによってアプリケーションを起動させる方式が考えられる。しかしながら、この方式では、たとえば、ＴＶリモコンを起動してＴＶの電源を入れ、次いでエアコンリモコンを起動してエアコンの電源を入れ、その後、ＴＶの音量を下げるために再度ＴＶリモコンを起動する等、あるリモコン機能から別のリモコン機能に切り替える場合、各機能を起動するたびに割り当てられたショートカットキーを長押しする必要がある。このため、この方式では、リモコン機能の切り替え時にスムーズなユーザ操作を行えず時間的な手間を要するという問題がある。
【００１０】
このようなユーザ操作の時間的な手間を省く方法として、アプリケーションを起動するショートカットキー専用のスクロールスイッチを設ける方式がある。しかしながら、この方式では、各リモコン機能を選択する際に、表示部１１のスクロール画面を見る必要があるため、ユーザ操作の時間的な手間を省くことはできるが、専用リモコンに匹敵するような利便性を得ることは難しい。
【００１１】
また、ユーザ操作の簡易化により利便性を向上させた携帯電話機として、従来、予め登録しておいた指紋と、指紋認証センサで読み込んだ指紋とが一致した場合に、登録した指紋と関連付けたアプリケーションを起動させるようにしたものが提案されている（例えば、特許文献１参照）。この携帯電話機によれば、予め登録した複数の指紋のそれぞれに関連付けた複数のアプリケーションを、指紋認証という簡易な操作により容易に起動させることができるので、ユーザの利便性を向上させることができる。
【特許文献１】特開２００４−７５０７９号公報
【発明の開示】
【発明が解決しようとする課題】
【００１２】
しかしながら、特許文献１に記載された携帯電話機では、所望のアプリケーションを適時起動させるには指紋認証用の指紋照合スイッチを常時オンしておく必要があるため、電力消費量が大きくなるという問題がある。この問題を解決するには照合スイッチを常時オフするようにして省電力化を図ればよいが、このようにした場合には、所望のアプリケーションを起動させるたびに指紋照合スイッチをオンさせる必要があり、アプリケーションの起動に手間がかかる。また、この携帯電話機では、操作部と表示部とを開閉自在な折りたたみ方式とした場合、前述したようなリモコン機能の起動及びユーザ操作をスムーズに行うには、端末本体の背面及び前面のそれぞれに指紋照合ユニットを設ける必要があり、コストアップを招くという問題がある。
【００１３】
本発明は、かかる点に鑑みてなされたもので、簡易なユーザ操作により手間を掛けずに所望のアプリケーションを起動することができる安価で利便性の高い無線端末装置及び携帯電話機を提供することにある。
【課題を解決するための手段】
【００１４】
かかる課題を解決するため、本発明の無線端末装置は、複数のアプリケーションを格納する格納部と、前記複数のアプリケーションの中から起動するアプリケーションを選択するアプリケーション選択手段と、前記複数のアプリケーションのそれぞれに対応した互いに異なる発光態様で発光する発光部と、選択及び起動させた前記アプリケーションに応じて、前記発光部を制御する制御手段と、を具備する構成を採る。
【００１５】
また、本発明の携帯電話機は、複数のリモコンアプリケーションを備え、かつ表示部が折り畳み式または回転式の携帯電話機であって、前記表示部の折り畳み時の傾斜角度または前記表示部の回転角度を検出する検出手段と、前記複数のリモコンアプリケーションのうち、前記検出手段の検出結果に応じたリモコンアプリケーションを選択する選択手段と、を具備する構成を採る。
【発明の効果】
【００１６】
本発明によれば、無線端末装置及び携帯電話機に搭載されているアプリケーションを発光部の発光態様、もしくは表示部の傾斜角度または回転角度により、選択及び起動するアプリケーションの種別を容易に識別することができるので、表示画面の表示内容を見てアプリケーションの種別を確認する必要がなく、簡易なユーザ操作により手間を掛けずに所望のアプリケーションを起動することができる。
【発明を実施するための最良の形態】
【００１７】
以下、本発明の実施の形態について、図面を参照して詳細に説明する。なお、ここでは本発明の無線端末装置として携帯電話機を例にとって説明するが、本発明は、複数のアプリケーションが搭載されている無線端末装置であればどのようなものにも適用可能である。
【００１８】
（実施の形態１）
図１に、実施の形態１に係る無線通信端末１００の構成を示す。本例の無線通信端末１００は、無線部１１０と、制御部１２０と、入出力部１３０と、電源部１４０と、を備えて構成される。
【００１９】
無線部１１０は、アンテナ１１１と、デュプレクサ１１２と、受信部１１３と、シンセサイザ１１４と、送信部１１５と、を備えている。アンテナ１１１は、図示しない基地局から発信された無線信号（ＲＦ信号）を受信する。アンテナ１１１が受信したＲＦ信号は、デュプレクサ１１２を経由して受信部１１３に入力される。受信部１１３は、デュプレクサ１１２から入力されたＲＦ信号をシンセサイザ１１４の発信周波数により周波数変換及びサンプリングする。送信部１１５は、制御部１２０から与えられる送信信号を、シンセサイザ１１４の発信周波数により変調し、デュプレクサ１１２を経由してアンテナ１１１で基地局に送信する。
【００２０】
制御部１２０は、無線部１１０が送受信する送信信号及び受信信号の信号処理を行うベースバンド処理部１２１と、メインメモリであるＲＡＭ（Random Access Memory）１２２と、各種プログラムが格納されているＲＯＭ（Read Only Memory）１２３と、を備えている。
【００２１】
入出力部１３０は、画像処理部１３１と、表示制御部１３２と、表示部１３３と、照明制御部１３４と、照明部１３５と、操作部１３６と、音声制御部１３７と、スピーカー１３８と、マイク１３９と、を備えている。
【００２２】
画像処理部１３１は、制御部１２０のベースバンド処理部１２１から入力される画像データを表示可能な画像データに変換し、これを表示制御部１３２に出力する。表示制御部１３２は、制御部１２０のベースバンド処理部１２１から入力される文字データ、及び画像処理部１３１から入力される画像データを表示部１３３に表示するように表示部１３３を制御する。表示部１３３は、液晶表示装置（ＬＣＤ：Liquid Crystal Display）などからなる表示画面を備え、この表示画面に表示制御部１３２から入力される文字及び画像を表示する。
【００２３】
照明制御部１３４は、制御部１２０のベースバンド処理部１２１から入力される照明データにより、照明部１３５を制御する。これにより、照明部１３５の光源（例えばＬＥＤ）１３５１は、起動するアプリケーションに対応した発光色で発光する。
【００２４】
操作部１３６は、各アプリケーションを短時間で起動するためのショートカットキー１３６１と、ショートカットキー１３６１で起動するアプリケーションを選択するアプリケーション選択部としてのスクロールスイッチ１３６２と、を備えている。ここで、ショートカットキー１３６１及びスクロールスイッチ１３６２と、操作部１３６に配設されている既存のキーやスイッチとを兼用する構成とした場合には、端末の小型化を図ることができる。一方、ショートカットキー１３６１及びスクロールスイッチ１３６２を端末の操作部１３６に新たに配設した場合には、スイッチ機能の切り替え操作が不要になるので、アプリケーションの起動時間を短縮することができる。
【００２５】
音声制御部１３７は、ベースバンド処理部１２１から入力される入力音声データを音声信号に変換してスピーカー１３８に出力する。また、音声制御部１３７は、マイク１３９から入力される音声信号を音声データに変換してベースバンド処理部１２１に入力する。
【００２６】
電源部１４０は、電池１４１と、電源充電部１４２と、を備えている。電池１４１は、電源充電部１４２により適時充電され、制御部１２０に所定の電力を供給する。
【００２７】
図２に、制御部１２０の詳細な構成を示す。制御部１２０のＲＯＭ１２３には、操作部１３６のショートカットキー１３６１のショートカットキー登録情報として、端末に搭載されているアプリケーションのプログラムデータ（アプリケーションデータ）と、照明部１３５の光源１３５１の発光色、発光パターン及び発光箇所などの照明データであるＬＥＤデータと、が格納されている。
【００２８】
制御部１２０のベースバンド処理部１２１は、コントローラ１２１１と、検出部１２１２と、を備えている。検出部１２１２は、操作部１３６のショートカットキー１３６１、及びスクロールスイッチ１３６２からの入力信号を検出する。
【００２９】
検出部１２１２は、操作部１３６のスクロールスイッチ１３６２からの、アプリケーションを選択するための入力信号を検出すると、そのアプリケーション選択操作情報をコントローラ１２１１内のショートカットキー制御部１２１３へ入力する。
【００３０】
これにより、ショートカットキー制御部１２１３は、ＲＯＭ１２３に格納されているショートカットキー登録情報の中から、スクロールスイッチ１３６２のスクロール操作によるアプリケーション選択操作情報に関連づけられているアプリケーションデータ及びＬＥＤデータを検索する。
【００３１】
そして、ショートカットキー制御部１２１３は、検索したアプリケーションデータの表示情報を表示制御部１３２へ入力して表示部１３３に表示するとともに、検索したＬＥＤデータを照明制御部１３４へ入力して照明部１３５の光源１３５１を発光する。
【００３２】
その後、操作部１３６のショートカットキー１３６１によるアプリケーションの起動操作が行われ、検出部１２１２がショートカットキー１３６１から入力される入力信号を検出すると、検出部１２１２が検出した入力信号（操作部１３６の操作情報）をショートカットキー制御部１２１３へ入力する。これにより、ショートカットキー制御部１２１３は、ＲＯＭ１２３に格納されているショートカットキー登録情報の中から、スクロールスイッチ１３６２のスクロール操作によるアプリケーション選択操作情報に関連づけられているアプリケーションデータを検索し、スクロールスイッチ１３６２のスクロール操作により選択したアプリケーションの起動処理を実行する。
【００３３】
図３に、ショートカットキー制御部１２１３の制御動作を示す。無線端末装置１００の電源がオンして、ショートカットキー制御部１２１３の動作がスタートすると、まず、スクロールスイッチ１３６２のスクロール操作によるアプリケーション選択操作情報が検出部１２１２に入力されたか否か判断する（ステップＳＴ３０１）。
【００３４】
このステップＳＴ３０１で、アプリケーション選択操作情報が検出部１２１２に入力された（入力有）と判断した場合には、検出部１２１２に入力されたアプリケーション選択操作情報が、ＲＯＭ１２３に格納されているショートカットキー登録情報内のアプリケーションデータ及びＬＥＤデータに関連付けられているか否か、つまりアプリケーション選択操作情報がショートカットキー登録情報と一致するか否か判断する（ステップＳＴ３０２）。
【００３５】
このステップＳＴ３０２で、アプリケーション選択操作情報がＲＯＭ１２３に格納されているショートカットキー登録情報と一致すると判断した場合には、照明制御部１３４へＲＯＭ１２３から該当するＬＥＤデータを通知する（ステップＳＴ３０３）。また、この場合には、表示制御部１３２へＲＯＭ１２３から該当するアプリケーション情報（表示情報）を通知する（ステップＳＴ３０４）。
【００３６】
一方、ステップＳＴ３０２で、アプリケーション選択操作情報がＲＯＭ１２３に格納されているショートカットキー登録情報と一致しないと判断した場合には、スクロールスイッチ１３６２の選択操作（スクロール操作）に対応するアプリケーションがＲＯＭ１２３内に存在しないことを通知し（ステップＳＴ３０５）、ステップＳＴ３０６へ遷移する。なお、ステップＳＴ３０１で、アプリケーション選択操作情報が検出部１２１２に入力されていないと判断した場合も、ステップＳＴ３０６へ遷移する。
【００３７】
その後、スクロールスイッチ１３６２の選択操作により選択したアプリケーションを起動するためのアプリケーション実行操作情報が、操作部１３６のショートカットキー１３６１から検出部１２１２に入力されたか否か（入力有か否か）判断する（ステップＳＴ３０６）。
【００３８】
このステップＳＴ３０６で、アプリケーション実行操作情報が検出部１２１２に入力されていないと判断した場合には、ステップＳＴ３０１へ遷移し、アプリケーション実行操作情報が検出部１２１２に入力されていると判断した場合には、当該アプリケーションを起動するステップＳＴ３０７のアプリケーション起動処理を実行した後、ステップＳＴ３０１へ遷移する。
【００３９】
図４に、本例の無線端末装置１００としての折り畳み方式の携帯電話機を、各種の家電機器やＡＶ機器のリモコンとして機能させた場合の照明部１３５の発光態様を示す。図４（ａ）は、各携帯電話機１００Ａ，１００Ｂ，１００Ｃ，１００Ｄ，１００Ｅの、表示部１３３と操作部１３６とが閉じた状態を示す。図４（ｂ）は、各携帯電話機１００Ａ，１００Ｂ，１００Ｃ，１００Ｄ，１００Ｅの、表示部１３３と操作部１３６とが開いた状態を示す。
【００４０】
ここで、携帯電話機１００Ａは、ＴＶリモコンとして機能させた場合の照明部１３５の発光態様を示す。携帯電話機１００Ｂは、ＤＶＤリモコンとして機能させた場合の照明部１３５の発光態様を示す。携帯電話機１００Ｃは、エアコンリモコンとして機能させた場合の照明部１３５の発光態様を示す。携帯電話機１００Ｄは、ＰＣリモコンとして機能させた場合の照明部１３５の発光態様を示す。携帯電話機１００Ｅは、音楽プレイヤーリモコンとして機能させた場合の照明部１３５の発光態様を示す。
【００４１】
すなわち、携帯電話機１００Ａは、図３のステップＳＴ３０１において、操作部１３６のスクロールスイッチ１３６２のスクロール操作により、ＴＶリモコンのアプリケーションが選択され、このアプリケーション選択操作情報が検出部１２１２に入力された場合の照明部１３５の発光態様である。この場合には、図３のステップＳＴ３０２において、スクロールスイッチ１３６２のスクロール操作によるアプリケーション選択操作情報が、ＲＯＭ１２３に格納されているＴＶリモコンのショートカットキー登録情報と一致すると判断される。そして、この判断結果に基づいて、該当するＬＥＤデータ、つまり発光態様がＴＶリモコンを選択していることを示すＬＥＤデータがＲＯＭ１２３から照明制御部１３４へ通知される（ステップＳＴ３０３）。同様に、該当するアプリケーションデータ、つまりＴＶリモコンの表示情報がＲＯＭ１２３から表示制御部１３２へ通知される（ステップＳＴ３０４）。これにより、携帯電話機１００Ａは、その照明部１３５がＴＶリモコン特有の発光色で発光すると共に、その表示部１３３にＴＶリモコンの操作画面が表示された発光態様となる。
【００４２】
また、携帯電話機１００Ｂは、図３のステップＳＴ３０１において、操作部１３６のスクロールスイッチ１３６２のスクロール操作により、ＤＶＤリモコンのアプリケーションが選択され、このアプリケーション選択操作情報が検出部１２１２に入力された場合の照明部１３５の発光態様である。この場合には、図３のステップＳＴ３０２において、スクロールスイッチ１３６２のスクロール操作によるアプリケーション選択操作情報が、ＲＯＭ１２３に格納されているＤＶＤリモコンのショートカットキー登録情報と一致すると判断される。そして、この判断結果に基づいて、該当するＬＥＤデータ、つまり発光態様がＤＶＤリモコンを選択していることを示すＬＥＤデータがＲＯＭ１２３から照明制御部１３４へ通知される（ステップＳＴ３０３）。同様に、該当するアプリケーションデータ、つまりＤＶＤリモコンの表示情報がＲＯＭ１２３から表示制御部１３４へ通知される（ステップＳＴ３０４）。これにより、携帯電話機１００Ｂは、その照明部１３５がＤＶＤリモコン特有の発光色で発光すると共に、その表示部１３３にＤＶＤリモコンの操作画面が表示された発光態様となる。
【００４３】
また、携帯電話機１００Ｃは、図３のステップＳＴ３０１において、操作部１３６のスクロールスイッチ１３６２のスクロール操作により、エアコンリモコンのアプリケーションが選択され、このアプリケーション選択操作情報が検出部１２１２に入力された場合の照明部１３５の発光態様である。この場合には、図３のステップＳＴ３０２において、スクロールスイッチ１３６２のスクロール操作によるアプリケーション選択操作情報が、ＲＯＭ１２３に格納されているエアコンリモコンのショートカットキー登録情報と一致すると判断される。そして、この判断結果に基づいて、該当するＬＥＤデータ、つまり発光態様がエアコンリモコンを選択していることを示すＬＥＤデータがＲＯＭ１２３から照明制御部１３４へ通知される（ステップＳＴ３０３）。同様に、該当するアプリケーションデータ、つまりエアコンリモコンの表示情報がＲＯＭ１２３から表示制御部１３４へ通知される（ステップＳＴ３０４）。これにより、携帯電話機１００Ｃは、その照明部１３５がエアコンリモコン特有の発光色で発光すると共に、その表示部１３３にエアコンリモコンの操作画面が表示された発光態様となる。
【００４４】
また、携帯電話機１００Ｄは、図３のステップＳＴ３０１において、操作部１３６のスクロールスイッチ１３６２のスクロール操作により、ＰＣリモコンのアプリケーションが選択され、このアプリケーション選択操作情報が検出部１２１２に入力された場合の照明部１３５の発光態様である。この場合には、図３のステップＳＴ３０２において、スクロールスイッチ１３６２のスクロール操作によるアプリケーション選択操作情報が、ＲＯＭ１２３に格納されているＰＣリモコンのショートカットキー登録情報と一致すると判断される。そして、この判断結果に基づいて、該当するＬＥＤデータ、つまり発光態様がＰＣリモコンを選択していることを示すＬＥＤデータがＲＯＭ１２３から照明制御部１３４へ通知される（ステップＳＴ３０３）。同様に、該当するアプリケーションデータ、つまりＰＣリモコンの表示情報がＲＯＭ１２３から表示制御部１３４へ通知される（ステップＳＴ３０４）。これにより、携帯電話機１００Ｄは、その照明部１３５がＰＣリモコン特有の発光色で発光すると共に、その表示部１３３にＰＣリモコンの操作画面が表示された発光態様となる。
【００４５】
また、携帯電話機１００Ｅは、図３のステップＳＴ３０１において、操作部１３６のスクロールスイッチ１３６２のスクロール操作により、音楽プレイヤーリモコンのアプリケーションが選択され、このアプリケーション選択操作情報が検出部１２１２に入力された場合の照明部１３５の発光態様である。この場合には、図３のステップＳＴ３０２において、スクロールスイッチ１３６２のスクロール操作によるアプリケーション選択操作情報が、ＲＯＭ１２３に格納されている音楽プレイヤーリモコンのショートカットキー登録情報と一致すると判断される。そして、この判断結果に基づいて、該当するＬＥＤデータ、つまり発光態様が音楽プレイヤーリモコンを選択していることを示すＬＥＤデータがＲＯＭ１２３から照明制御部１３４へ通知される（ステップＳＴ３０３）。同様に、該当するアプリケーションデータ、つまり音楽プレイヤーリモコンの表示情報がＲＯＭ１２３から表示制御部１３４へ通知される（ステップＳＴ３０４）。これにより、携帯電話機１００Ｅは、その照明部１３５が音楽プレイヤーリモコン特有の発光色で発光すると共に、その表示部１３３に音楽プレイヤーリモコンの操作画面が表示された発光態様となる。
【００４６】
このように、本例の無線端末装置１００は、複数のアプリケーションの中から起動するアプリケーションの種別を、当該アプリケーションに関連付けたアプリケーション毎で照明部１３５の発光色が異なる発光態様で提示することができる。
【００４７】
そして、この無線端末装置１００では、検出部１２１２で検出したショートカットキー１３６１から入力される入力信号に基づいて、ショートカットキー制御部１２１１により、ＲＯＭ１２３に格納されているショートカットキー登録情報の中から、スクロールスイッチ１３６２のスクロール操作によるアプリケーション選択操作情報に関連づけられているアプリケーションデータを検索し、スクロールスイッチ１３６２のスクロール操作により選択したアプリケーションの起動処理を実行することができる。
【００４８】
従って、この無線端末装置１００においては、その照明部１３５の発光色により選択及び起動するアプリケーションの種別を容易に識別することができ、表示部１３３の表示内容をその都度見てアプリケーションの種別を確認する必要がなくなる。これにより、この無線端末装置１００では、例えば図５に示すように、ユーザは、腕を伸ばした状態で、操作部１３６のショートカットキー１３６１によるアプリケーションの起動操作を行うのみの簡易な操作により、手間を掛けずに所望のアプリケーションを起動することができる。
【００４９】
以上のように、本発明の無線端末装置１００によれば、複数のアプリケーションの中から選択及び起動するアプリケーションの種別を、当該アプリケーションに関連付けたアプリケーション毎で異なる照明部１３５の発光態様、つまり照明部１３５の発光色で提示する。この無線端末装置１００は、その照明部１３５の発光色により選択及び起動するアプリケーションの種別を容易に識別することができ、表示部１３３の表示内容をその都度見てアプリケーションの種別を確認する必要がないので、操作部１３６のショートカットキー１３６１によるアプリケーションの起動操作のみの簡易なユーザ操作により、手間を掛けずに所望のアプリケーションを起動することができる。
【００５０】
なお、ここでは、無線端末装置１００の照明部１３５の発光態様を、照明部１３５の発光色で提示するようにしたが、この照明部１３５の発光態様は、照明部１３５の発光位置や発光パターン、例えば光源１３５１の配設位置や点滅間隔などを変化させることで提示するようにしてもよい。
【００５１】
（実施の形態２）
次に、本発明の実施の形態２に係る携帯電話機について説明する。図６に、実施の形態２に係る携帯電話機２００の構成を示す。図７に、この携帯電話機２００の制御部の構成を示す。なお、図６及び図７において、実施の形態１に係る無線端末装置１００と同様の機能及び構成要素については、同符号を付してその説明を省略する。
【００５２】
本例の携帯電話機２００は、無線部１１０と、制御部２２０と、入出力部２３０と、電源部１４０と、を備えて構成される。制御部２２０は、ベースバンド処理部２２１と、ＲＡＭ１２２と、ＲＯＭ２２３と、を備えている。入出力部２３０は、画像処理部１３１と、表示制御部１３２と、表示部１３３と、照明制御部１３４と、照明部１３５と、操作部１３６と、音声制御部１３７と、スピーカー１３８と、マイク１３９と、回転検出部２３１と、傾き検出部２３２と、を備えている。
【００５３】
入出力部２３０の回転検出部２３１は、端末本体の操作部１３６に対する表示部１３３の回転角度を検出する。入出力部２３０の傾き検出部２３２は、端末本体の操作部１３６に対する表示部１３３の傾斜角度を検出する。
【００５４】
図７に示すように、制御部２２０のＲＯＭ２２３には、操作部１３６のショートカットキー１３６１のショートカットキー登録情報として、端末に搭載されているアプリケーションのプログラムデータ（アプリケーションデータ）と、端末本体の操作部１３６に対する表示部１３３の回転角度、及び端末本体の操作部１３６に対する表示部１３３の傾斜角度を示す形状データと、が格納されている。
【００５５】
また、制御部２２０のベースバンド処理部２２１は、コントローラ１２１１と、検出部２２１２と、を備えている。検出部２２１２は、操作部１３６のショートカットキー１３６１からの入力信号を検出する。また、検出部２２１２は、回転検出部２３１が検出した端末本体の表示部１３３の回転角度、及び傾き検出部２３２が検出した端末本体の表示部１３３の傾斜角度を示す角度信号を検出する形状検出部２２１３を備えている。
【００５６】
検出部２２１２の形状検出部２２１３は、回転検出部２３１が検出した端末本体の表示部１３３の回転角度、及び傾き検出部２３２が検出した端末本体の表示部１３３の傾斜角度を示す角度信号を検出すると、この検出情報をショートカットキー制御部１２１３へ入力する。
【００５７】
そして、検出部２２１２は、形状検出部２２１３からの、ショートカットキー１３６１に割り当てるアプリケーションを選択するための角度信号を検出すると、そのアプリケーション選択操作情報をコントローラ１２１１内のショートカットキー制御部１２１３へ入力する。
【００５８】
これにより、ショートカットキー制御部１２１３は、ＲＯＭ２２３に格納されているショートカットキー登録情報の中から、端末本体の表示部１３３の回転角度及び傾斜角度に関連づけられているアプリケーションデータを検索する。
【００５９】
そして、ショートカットキー制御部１２１３は、形状検出部２２１３の検出結果に基づいて検索したアプリケーションデータの表示情報を表示制御部１３２へ入力して表示部１３３に表示する。
【００６０】
その後、操作部１３６のショートカットキー１３６１によるアプリケーションの起動操作行われ、検出部２２１２がショートカットキー１３６１から入力される入力信号を検出すると、検出した入力信号をショートカットキー制御部１２１３へ入力する。
【００６１】
これにより、ショートカットキー制御部１２１３は、ＲＯＭ２２３に格納されているショートカットキー登録情報の中から、端末の本体の表示部１３３の回転角度及び傾斜角度に関連づけられているアプリケーションの起動処理を実行する。
【００６２】
図８に、ショートカットキー制御部１２１３の制御動作を示す。無線端末装置２００の形状認識スイッチ（不図示）がオンして、ショートカットキー制御部１２１３の動作がスタートすると、まず、回転検出部２３１が検出した端末本体の表示部１３３の回転角度、又は傾き検出部２３２が検出した端末本体の表示部１３３の傾斜角度を示す角度信号が、形状検出部２２１３に入力されて、端末本体の形状検出が行われる（ステップＳＴ８０１）。
【００６３】
このステップＳＴ８０１での端末本体の形状検出が完了すると、検出部２２１２に入力されたアプリケーション選択操作情報が、ＲＯＭ２２３に格納されているショートカットキー登録情報内のアプリケーションデータに関連付けられているか否か、つまりアプリケーション選択操作情報がショートカットキー登録情報と一致するか否か判断する（ステップＳＴ８０２）。
【００６４】
このステップＳＴ８０２で、アプリケーション選択操作情報がＲＯＭ２２３に格納されているショートカットキー登録情報と一致すると判断した場合には、ＲＯＭ２２３に格納されているショートカットキー登録情報内のアプリケーションデータに基づいて、該当するアプリケーションの起動処理を実行（ステップＳＴ８０３）した後、動作を終了する。
【００６５】
一方、ステップＳＴ８０２で、アプリケーション選択操作情報がＲＯＭ２２３に格納されているショートカットキー登録情報と一致しないと判断した場合には、回転検出部２３１が検出した端末本体の表示部１３３の回転角度、又は傾き検出部２３２が検出した端末本体の表示部１３３の傾斜角度に対応するアプリケーションがＲＯＭ２２３内に存在しないことを通知（ステップＳＴ８０４）した後、動作を終了する。
【００６６】
図９及び図１０に、本例の回転式の携帯電話機を示す。図９に示す携帯電話機２００−１は、端末本体の操作部１３６に対して、表示部１３３を回転していない状態を示しており、図１０に示す携帯電話機２００−２は、端末本体の操作部１３６に対して、表示部１３３を左方向にほぼ９０度回転した状態を示している。
【００６７】
この携帯電話機２００−１、２００−２は、端末本体の操作部１３６に対して、端末本体の表示部１３３の回転角度を見ることによって、選択及び起動するアプリケーションの種別を容易に識別することができる。つまり、図９に示す携帯電話機２００−１は、その第１の回転角度に関連づけられている第１のアプリケーションを起動するように構成し、図１０に示す携帯電話機２００−２では、その第２の回転角度に関連づけられている第２のアプリケーションを起動するように構成することができる。
【００６８】
図１１及び図１２に、本例の折り畳み方式の携帯電話機２００を示す。この携帯電話機２００は、図１１（ａ），（ｂ）に示すように、端末本体の操作部１３６に対して、表示部１３３を所定の傾斜角度θに傾斜させることができるように構成されている。
【００６９】
この携帯電話機２００は、端末本体の操作部１３６に対する端末本体の表示部１３３の傾斜角度により端末形状を変化させることで、選択及び起動するアプリケーションの種別を切り替えることができる。
【００７０】
例えば、図１２（ａ）に示す携帯電話機２００Ａは、端末本体の操作部１３６に対して、表示部１３３を傾斜角度θ１（ほぼ１８０度）傾斜させて、ＴＶ１２０１のＴＶリモコンとして機能させた場合の端末形状を示す。また、図１２（ｂ）に示す携帯電話機２００Ｂは、端末本体の操作部１３６に対して、表示部１３３を傾斜角度θ２（ほぼ９０度）傾斜させて、ＤＶＤ１２０２のＤＶＤリモコンとして機能させた場合の端末形状を示す。さらに、図１２（ｃ）に示す携帯電話機２００Ｃは、端末本体の操作部１３６に対して、表示部１３３を傾斜角度θ３（ほぼ１２０度）傾斜させて、エアコン１２０３のエアコンリモコンとして機能させた場合の端末形状を示す。
【００７１】
すなわち、携帯電話機２００Ａは、図８のステップＳＴ８０１において、傾き検出部２３２の検出結果により、ＴＶリモコンのアプリケーションが選択され、このアプリケーション選択操作情報が形状検出部２２１３に入力された場合の端末形状である。この場合には、図８のステップＳＴ８０２において、傾き検出部２３２の検出結果に基づくアプリケーション選択操作情報が、ＲＯＭ２２３に格納されているＴＶリモコンのショートカットキー登録情報と一致すると判断される。そして、この判断結果に基づいて、ＴＶリモコンのアプリケーションの起動処理が実行される（ステップＳＴ８０３）。
【００７２】
また、携帯電話機２００Ｂは、図８のステップＳＴ８０１において、傾き検出部２３２の検出結果により、ＤＶＤリモコンのアプリケーションが選択され、このアプリケーション選択操作情報が形状検出部２２１３に入力された場合の端末形状である。この場合には、図８のステップＳＴ８０２において、傾き検出部２３２の検出結果に基づくアプリケーション選択操作情報が、ＲＯＭ１２３に格納されているＤＶＤリモコンのショートカットキー登録情報と一致すると判断される。そして、この判断結果に基づいて、ＤＶＤリモコンのアプリケーションの起動処理が実行される（ステップＳＴ８０３）。
【００７３】
また、携帯電話機２００Ｃは、図８のステップＳＴ３０１において、傾き検出部２３２の検出結果により、エアコンリモコンのアプリケーションが選択され、このアプリケーション選択操作情報が形状検出部２２１３に入力された場合の端末形状である。この場合には、図８のステップＳＴ８０２において、傾き検出部２３２の検出結果に基づくアプリケーション選択操作情報が、ＲＯＭ２２３に格納されているエアコンリモコンのショートカットキー登録情報と一致すると判断される。そして、この判断結果に基づいて、エアコンリモコンのアプリケーションの起動処理が実行される（ステップＳＴ８０３）。
【００７４】
このように、本例の携帯電話機２００は、複数のアプリケーションの中から選択及び起動するアプリケーションの種別を、当該アプリケーションに関連付けたアプリケーション毎で端末本体の操作部１３６に対する表示部１３３の傾斜角度が異なる端末形状により容易に識別することができる。
【００７５】
そして、この携帯電話機２００では、傾き検出部２３２で検出した端末本体の操作部１３６に対する表示部１３３の傾斜角度の角度信号に基づいて、ショートカットキー制御部１２１３により、ＲＯＭ２２３に格納されているショートカットキー登録情報の中から、端末本体の操作部１３６に対する表示部１３３の傾斜角度に関連づけられているアプリケーションデータを検索し、端末本体の操作部１３６に対する表示部１３３の傾斜角度に対応したアプリケーションの起動処理を実行することができる。
【００７６】
従って、この携帯電話機２００においては、その端末本体の操作部１３６に対する表示部１３３の傾斜角度によりアプリケーションの種別を容易に識別することができ、表示部１３３の表示内容をその都度見てアプリケーションの種別を確認する必要がなくなる。これにより、この携帯電話機２００では、実施の形態１に係る無線端末装置１００の場合と同様、図５に示したように、ユーザは、腕を伸ばした状態で、操作部１３６のショートカットキー１３６１によるアプリケーションの起動操作を行うのみの簡易な操作により、手間を掛けずに所望のアプリケーションを起動することができる。
【００７７】
以上のように、本発明の携帯電話機２００によれば、複数のアプリケーションの中から選択及び起動するアプリケーションの種別を、当該アプリケーションに関連付けたアプリケーション毎で異なる端末形状、つまり端末本体の操作部１３６に対する表示部１３３の傾斜角度で識別することができる。この携帯電話機２００は、その端末本体の操作部１３６に対する表示部１３３の傾斜角度によりアプリケーションの種別を容易に識別することができ、表示部１３３の表示内容をその都度見てアプリケーションの種別を確認する必要がないので、操作部１３６のショートカットキー１３６１によるアプリケーションの起動操作のみの簡易なユーザ操作により、手間を掛けずに所望のアプリケーションを起動することができる。
【産業上の利用可能性】
【００７８】
本発明に係る無線端末装置は、アプリケーションを簡易なユーザ操作により手間を掛けずに起動することができるので、複数のアプリケーションを搭載した携帯電話機等に有用である。
【図面の簡単な説明】
【００７９】
【図１】本発明の実施の形態１に係る無線端末装置の構成を示すブロック図
【図２】本発明の実施の形態１に係る無線端末装置の制御部の構成を示すブロック図
【図３】本発明の実施の形態１に係る無線端末装置の動作を示すフローチャート
【図４】（ａ）は本発明の実施の形態１に係る無線端末装置としての折り畳み式携帯電話機の閉鎖状態を示す図、（ｂ）は当該携帯電話機の解放状態を示す図
【図５】本発明の実施の形態１に係る無線端末装置の使用状態を示す図
【図６】本発明の実施の形態２に係る無線端末装置の構成を示すブロック図
【図７】本発明の実施の形態２に係る無線端末装置の制御部の構成を示すブロック図
【図８】本発明の実施の形態２に係る無線端末装置の動作を示すフローチャート
【図９】本発明の実施の形態２に係る無線端末装置としての折り畳み回転式携帯電話機の開放状態を示す図
【図１０】本発明の実施の形態２に係る無線端末装置としての折り畳み回転式携帯電話機の回転状態を示す図
【図１１】（ａ）は本発明の実施の形態２に係る無線端末装置としての折り畳み式携帯電話機の側面図、（ｂ）は当該携帯電話機の斜視図
【図１２】（ａ）は本発明の実施の形態２に係る無線端末装置としての折り畳み式携帯電話機をＴＶリモコンとして使用する場合の端末形態を示す図、（ｂ）は当該携帯電話機をＤＶＤリモコンとして使用する場合の端末形態を示す図、（ｃ）は当該携帯電話機をエアコンリモコンとして使用する場合の端末形態を示す図
【図１３】従来の無線端末装置の表示部に起動画面を表示した状態を示す図
【図１４】従来の無線端末装置の表示部にアプリケーションの選択画面を表示した状態を示す図
【図１５】従来の無線端末装置の表示部にＴＶに関する機能を選択するための選択画面を表示した状態を示す図
【図１６】従来の無線端末装置の表示部にＴＶをリモコン操作するためのリモコン操作画面を表示した状態を示す図
【図１７】従来のＴＶ専用リモコンを使用してＴＶを起動する場合のリモコン操作の様子を示す図
【図１８】従来の携帯電話機のＴＶリモコン機能を使用してＴＶを起動する場合の端末操作の様子を示す図
【符号の説明】
【００８０】
１００  無線端末装置
１１０  無線部
１２０  制御部
１２３，２２３  ＲＯＭ
１３０  入出力部
１３３  表示部
１３５  照明部
１３６  操作部
２００  携帯電話機
２３１  回転検出部
２３２  傾き検出部
１２１２  検出部
１２１３  ショートカットキー制御部
１３５１  光源
１３６１  ショートカットキー
１３６２  スクロールスイッチ
２２１３  形状検出部
【図１】
2009027383.tif 000003
【図２】
2009027383.tif 000004
【図３】
2009027383.tif 000005
【図４】
2009027383.tif 000006
【図５】
2009027383.tif 000007
【図６】
2009027383.tif 000008
【図７】
2009027383.tif 000009
【図８】
2009027383.tif 000010
【図９】
2009027383.tif 000011
【図１０】
2009027383.tif 000012
【図１１】
2009027383.tif 000013
【図１２】
2009027383.tif 000014
【図１３】
2009027383.tif 000015
【図１４】
2009027383.tif 000016
【図１５】
2009027383.tif 000017
【図１６】
2009027383.tif 000018
【図１７】
2009027383.tif 000019
【図１８】
2009027383.tif 000020